【手続補正書】
【提出日】平成13年2月27日(2001.2.27)
【手続補正１】
【補正対象書類名】明細書
【補正対象項目名】特許請求の範囲
【補正方法】変更
【補正の内容】
【特許請求の範囲】
【請求項１】
真実性確認特徴を無接触で検査可能にする、電子回路（１、４、７）の形態の構造を備えたセーフティ・ペーパであって、前記電子回路が、電子回路チップと、該電子回路チップに接続されて、受信した入力信号に応答して、前記真実性確認特徴の存在を表示する出力信号を放出する、送信／受信アンテナの働きをするパターン（７）とを含んでなり、送信／受信アンテナの働きをする前記パターン（５０、５０´）が、共通の直線に沿って延び、その向かい合った端部で前記回路チップ（４０）の接続領域（７０、７０´）と接触している、２つの導体ストリップ（５０、５０´）から構成されるダイポール・アンテナの形を備え、前記２つの導体ストリップ（５０、５０´）が、薄い絶縁ポリマ基板ストリップの導電性にされた部分によって形成され、前記導体ストリップ（５０、５０´）の向かい合った端部間に形成されたその絶縁部分に、前記回路チップ（４０）が配置されている、セーフティ・ペーパにおいて、前記回路チップ（４０）が、前記ポリマ基板ストリップの絶縁部分に配置された薄く研削された半導体基板上に形成されることを特徴とする、セーフティ・ペーパ。
【請求項２】
真実性確認特徴を無接触で検査可能にする、電子回路（１、４、７）の形態の構造を備えたセーフティ・ペーパであって、前記電子回路が、電子回路チップと、該電子回路チップに接続されて、受信した入力信号に応答して、前記真実性確認特徴の存在を表示する出力信号を放出する、送信／受信アンテナの働きをするパターン（７）とを含んでなり、送信／受信アンテナの働きをする前記パターン（５０、５０´）が、共通の直線に沿って延び、その向かい合った端部で前記回路チップ（４０）の接続領域（７０、７０´）と接触している、２つの導体ストリップ（５０、５０´）から構成されるダイポール・アンテナの形を備え、前記２つの導体ストリップ（５０、５０´）が、薄い絶縁ポリマ基板ストリップの導電性にされた部分によって形成され、前記導体ストリップ（５０、５０´）の向かい合った端部間に形成されたその絶縁部分に、前記回路チップ（４０）が配置されている、セーフティ・ペーパにおいて、前記回路（１、４、７）を形成する前記構造が、可撓性のあるポリマー基板上に形成された集積ポリマー回路チップを含んでなることを特徴とする、セーフティ・ペーパ。
【請求項３】
前記導体ストリップ（５０、５０´）に穿孔が貫通していることを特徴とする、請求項１又は２に記載のセーフティ・ペーパ。
【請求項４】
真実性確認特徴を無接触で検査可能にする、電子回路（１、４、７）の形態の構造を備えたセーフティ・ペーパであって、前記電子回路が、電子回路チップと、該電子回路チップに接続されて、受信した入力信号に応答して、前記真実性確認特徴の存在を表示する出力信号を放出する、送信／受信アンテナの働きをするパターン（７）とを含んでなる、セーフティ・ペーパにおいて、送信／受信アンテナの働きをする前記パターンが、前記ペーパ層の外部に形成され、誘電体の働きをする前記ペーパ層によって、前記ペーパ層に埋め込まれた前記回路の残りの部分に容量結合されることを特徴とする、セーフティ・ペーパ。
【請求項５】
前記回路（１、４、７）を形成する前記構造に、所定の情報内容に対してセットされた読み取り専用記憶装置が含まれており、その情報内容が、前記放出される出力信号によって伝送可能であることを特徴とする、請求項１乃至４のいずれか１に記載のセーフティ・ペーパ。
【請求項６】
前記回路（１、４、７）を形成する前記構造に、前記受信した入力信号によって伝送される情報内容を書き込むことが可能であり、前記放出される出力信号によってその情報内容を伝送することが可能な、書き込み／読み取り記憶装置が含まれることを特徴とする、請求項１乃至５のいずれか１に記載のセーフティ・ペーパ。
【請求項７】
前記書き込み／読み取り記憶装置が、前記入力信号によって伝送される２進表現による情報内容を順次記憶することが可能なシフト・レジスタによって形成されることを特徴とする、請求項６に記載のセーフティ・ペーパ。
【請求項８】
前記回路（１、４、７）を形成する構造に、無接触のエネルギ伝達によって供給可能なエネルギ供給構成が含まれることを特徴とする、請求項１乃至７のいずれか１に記載のセーフティ・ペーパ。
【請求項９】
前記エネルギの伝達が、前記入力信号による変調のために供給される搬送周波数振動によって実現可能であることを特徴とする、請求項８に記載のセーフティ・ペーパ。
【請求項１０】
前記回路（１、４、７）を形成する前記構造が、前記セーフティ・ペーパのペーパ層に埋め込まれていることを特徴とする、請求項１乃至９のいずれか１に記載のセーフティ・ペーパ。
【請求項１１】
真実性確認特徴を無接触で検査可能にする構造を備えたセーフティ・ペーパであって、その構造に、真実性確認特徴を備える電気光学的表面領域が含まれており、その光反射または透過特性が、前記表面領域に印加される電位の関数として制御することが可能であることを特徴とする、セーフティ・ペーパ。
【請求項１２】
前記構造が、エネルギ供給源の働きをする光起電性表面領域を備え、前記導体ストリップ（５０、５０´）が、薄い絶縁支持箔の一方の面の導電性コーティングによって形成され、前記光起電性領域が、前記支持箔のもう一方の面に設けられることを特徴とする、請求項１乃至１１のいずれか１に記載のセーフティ・ペーパ。
【請求項１３】
送信／受信アンテナの働きをする前記パターン（１、５、５´、７、５０、５０´）が、その膨張率がペーパ層の膨張率とほぼ一致する材料から構成されることを特徴とする、請求項１乃至１２のいずれか１に記載のセーフティ・ペーパ。
【請求項１４】
前記回路（１、４、７；４０、５０、５０´、７０、７０´）にマイクロ・コントローラが含まれることを特徴とする、請求項１乃至１３のいずれか１に記載のセーフティ・ペーパ。
【請求項１５】
真実性確認特徴を無接触で検査可能にする電子回路の形の構造を備えたセーフティ・ペーパ上に、光学的に読み取り可能な形で記録されている書類の真実性を検査するための方法であって、前記回路は、受信入力信号に応答して、前記真実性確認特徴を表した出力信号を放出し、前記書類の前記検査位置によって、前記電子回路に対してその出力信号の放出をトリガする入力信号が送信され、前記書類の光学的に読み取り可能な内容並びに前記真実性確認特徴が、自動的に検出され、互いに相関させられている、書類の真実性を検査するための方法において、前記検査位置によって前記回路に送られる前記入力信号に、前記検査位置を識別し、前記回路に記憶される情報内容が含まれることを特徴とする、書類の真実性を検査するための方法。
【請求項１６】
前記検査位置を識別する前記記憶された情報内容が、その後にある検査位置によって送信される入力信号に応答して、前記出力信号によってその検査位置に送ることが可能であることを特徴とする、請求項１５に記載の方法。
【請求項１７】
前記回路を動作させるためのエネルギが、前記検査位置によって、前記入力信号と共に前記回路に送られることを特徴とする、請求項１５又は１６に記載の方法。
【請求項１８】
無接触で検出可能な真実性確認特徴が備えられている領域を備えるセーフティ・ペーパに記録された書類の真実性を検査するための方法であって、前記書類には、前記真実性確認特徴を備える領域から離れた領域に電子回路が設けられており、その電子回路において、無接触検出によって判定される真実性確認特徴が検査され、その検査結果を表示する出力信号が発生することを特徴とする、方法。
【請求項１９】
受信した入力信号に応答して、真実性確認特徴を表した出力信号を発生する電子回路チップ、並びに、前記電子回路チップに接続されて、送信／受信アンテナの働きをし、ダイポール・ブランチが共通の直線に沿って延びるダイポール・アンテナとして形成されたパターンが設けられている、セーフティ・ペーパから製作された書類の真実性を無接触で検査するための装置であって、検査すべき書類（１００）を前記ダイポール・ブランチ（５０、５０´）の共通の直線に対して横方向に延びる移動経路に沿って移送する移送装置と、移送方向（１００）に延び、その一方が、前記一方のダイポール・ブランチ（５０）の前記移動経路の領域内に配置され、もう一方が、前記もう一方のダイポール・ブランチ（５０´）の前記移動経路の領域内に配置されて、それぞれ前記移動するダイポール・ブランチ（５０、５０´）と容量結合する２つの導体（１０３、１０３´）と、前記導体（１０３、１０３´）に結合されて、前記回路チップ（４０）に向けての入力信号を放出し、前記真実性信号を表す出力信号を受信する送信／受信装置とを備えることを特徴とする、装置。
【請求項２０】
前記回路チップ（４、４０）が、前記書類の印刷されない領域に配置されることを特徴とする、請求項１乃至１４のいずれか１に記載のセーフティ・ペーパから製作される書類。
【請求項２１】
電子回路（４、４０）が配置されている領域から遠隔の領域に、無接触で検出可能であり、電子回路に入力して、検査することが可能である真実性確認特徴が配置されていることを特徴とする、請求項１乃至１４のいずれか１に記載のセーフティ・ペーパから製作される書類。
【手続補正２】
【補正対象書類名】明細書
【補正対象項目名】０００４
【補正方法】変更
【補正の内容】
【０００４】
既知のセーフティ・ペーパ（ＤＥ  １９６  ３０  ６４８  Ａ１）から製作される銀行券の場合、アンテナを備えたトランスポンダ・チップが、従来の銀行券に組み込まれたさまざまな種類のセーフティ・ストリップと同様のやり方で銀行券に組み込まれている。アンテナの働きをするパターンは、トランスポンダ・チップ上に厚いまたは薄い層構造として直接形成された、アンテナ・コイルの形状を備えている。代替案として、トランスポンダ・チップは、金属セーフティ・ストリップの近傍または金属セーフティ・ストリップの中断部分に配置することもできるし、アンテナ・コイルで包囲することも可能である。もう１つの可能性によれば、金属セーフティ・ストリップは、それ自体がトランスポンダ・チップのアンテナ・コイルを形成するように修正される。トランスポンダ・チップ自体にアンテナ・コイルを取り付けると、コイルの断面が極めて小さくなり、それに応じて、送信及び受信感度が低下する。さらに、製造テクノロジに関して、銀行券に小型トランスポンダ・チップを取り付けるのが困難である。銀行券のトランスポンダ・チップの外側にアンテナ・コイルが配置される他の前述のオプションによれば、より大きいコイル断面を形成する可能性が得られるが、銀行券のトランスポンダ・チップに対するアンテナ・コイルの形成及び接続が、製造テクノロジに関して問題になる。
特に銀行券に適したもう一つのセーフティペーパ（ＤＥ１９６０１３５８Ａ１）においては、読み出し専用ストーレッジそして／又は読み出し・書き込みストーレッジを含んでなることができるトランスポンダ・チップは、その紙の層に埋められ、非接触で読み取れて真実性確認特徴として機能する印刷された識別番号を最も簡単な状態で含んでいる。データの伝送に関しては、誘導的或は容量的方法での交流の変調により実施されうることが開示されている。誘導的伝送のために、小型化されたコイルがトランスポンダに備えられている。より大きい距離に渡っての伝送のために、当該技術分野で知られている方法で、アンテナと、より広い包絡面領域を備えたコイル或はダイポールがチップに配置されることが一般的に留意される。
最後に、可逆的方法でその色を変えることのできる光互変異体の印を使用することも知られている（ＧＢ２２７２８６１Ａ）。
【手続補正３】
【補正対象書類名】明細書
【補正対象項目名】０００６
【補正方法】変更
【補正の内容】
【０００６】
（発明の開示）
本発明によれば、この目的は、特許請求の範囲において定義された特徴の結合によって解決される。
【手続補正４】
【補正対象書類名】明細書
【補正対象項目名】０００７
【補正方法】変更
【補正の内容】
【０００７】
セーフティ・ペーパの本発明の実施態様によれば、真実性確認特徴の存在に関する検査は、出力信号の放出をトリガする入力信号が、ペーパ平面内に延びる回路に送られることによって実施される。入力信号並びに出力信号は、それぞれ、対応する信号情報によって変調された搬送周波数振動の形態が望ましい。対応する回路構成によって、真実性確認特徴として、２進形式がのぞましい、任意の所望の情報内容を出力信号に符号化することが可能になる。電子回路にはマイクロ・コントローラを設けることが可能である。そうすることによって、セーフティ・ペーパによって製作された任意の書類に対して、例えば、マイクロ・コントローラの個別製造番号といった、少なくとも１つの個別真実性確認特徴を割り当てることが可能になる。例えば、銀行券の場合、これは、真実性確認特徴が、銀行券の光学的に読み取り可能な印刷イメージによって示される、符号化形式による銀行券の金銭的価値及び／または通し番号に相当するという点に見いだすことができる。請求項１５による真実性の検査方法では、典型的な実施態様の場合、銀行券の金銭的価値及び／またはその通し番号になる、書類の光学的に読み取り可能な内容、及び、その内容を符号化する回路の出力信号は、自動的に検出して、互いに比較することが可能である。例えば、銀行券のような書類の真実性は、光学的に読み取り可能な内容と回路の出力信号の情報内容との間に、例えば、内容一致といった所定の相関関係が存在する場合に限って、この方法によって確認される。


【手続補正５】
【補正対象書類名】明細書
【補正対象項目名】０００８
【補正方法】変更
【補正の内容】
【０００８】
請求項１８による方法、及び、請求項２１による書類は、とりわけ、銀行券を２つの部分に分割し、それぞれ、欠けた部分を偽造によって取り替えることが可能であるという点を特に考慮したものである。一方では、一般には見えないが、しかしながら、例えば、磁気または可視範囲内にはない光といった技術的手段によって、検出可能な真実性確認特徴を設けることによって、また、もう一方では、この真実性確認特徴に対応する情報を回路に記憶することによって、偽造を防げるやり方で、２つの部分が互いに結合される。検出される真実性確認特徴に対応する情報内容が、真実性検査中に回路に入力され、例えば、基準情報と比較することにより、真実性に関して検査される。回路は、この真実性検査が肯定的であれば、真実性を承認する出力信号を送り出すだけである。


【手続補正６】
【補正対象書類名】明細書
【補正対象項目名】００１１
【補正方法】変更
【補正の内容】
【００１１】
この実施態様の場合、入力信号は、セーフティ・ペーパによって製作された書類に永久的に相関させられた、しっかりと調整された真実性確認特徴にアクセスする働きをするだけではなく、さらに、入力信号によって、情報内容を回路に伝送し、そこに記憶することも可能であり、また、後で受信する受信信号に応答して放出される出力信号によって、情報内容を送り出すことも可能である。この実施態様は、とりわけ、請求項１６及び１７において請求される方法に関して重要である。これに関して、例えば、その流通中に、銀行券を受け取る各銀行のような、セーフティ・ペーパによって製作された書類を検査する各場所毎に、情報内容に相当する検査場所、及び、オプションにより検査日付が、例えば、金額を計算するプロセスのようなチェック・プロセス中に、入力信号によって回路に書き込まれる。後続のチェック・プロセス中に、この情報内容は、放出される出力信号によって転送可能であり、こうして、使われた場所の場所的及び時間的証拠が得られる。従って、承認されていない資金洗浄行為を正確に追跡することが可能になる。


【手続補正７】
【補正対象書類名】明細書
【補正対象項目名】００２５
【補正方法】変更
【補正の内容】
【００２５】
こうした電気光学的に制御される表面領域は、とりわけ、真空中または特殊ガス雰囲気中において、薄いプラスチック・フィルム上に薄い層をなすように、金属または金属合金を被着させることが可能なスパッタリング法によって形成することが可能である。
【手続補正８】
【補正対象書類名】明細書
【補正対象項目名】００２６
【補正方法】変更
【補正の内容】
【００２６】
そのコーティングが、ポジまたはネガの形による真実性確認特徴を表すパターンとして、コーティング・プロセス中に、あるいはまた、その後にも生じさせ、こうしてコーティングされたプラスチック・フィルムは、さらに、セーフティ・ペーパに付着させるか、または、そのペーパ層に埋め込むことが可能である。